(57)【要約】      （修正有）【課題】光源モジュールと、接続モジュールと、引き寄せモジュールとを備える角度固定自在の扁平形照明装置を提供する。【解決手段】接続モジュール３０はヘッド部３１と、取付台とを含み、取付台の一側は光源モジュール２０に連結され、取付台が光源モジュール遠端部の一側は選択によりヘッド部に接続することができ、接続モジュールはヘッド部と取付台との間に接続部３３を形成され、接続部は外部リング３４とリングシート３５とを含み、外部リングをリングシート外部に嵌着され、外部リングに切欠きを開けていて、外部リングは切欠きの両側にそれぞれ第１引き込み端３４２と第２引き込み端３４３とを形成され、引き寄せモジュール４０の両端部はそれぞれ第１引き込み端と第２引き込み端に連結され、引き寄せモジュールによって、第１引き込み端と第２引き込み端とを互いに引き寄せることができる。【選択図】図１
0003188098.tif 000002
【実用新案登録請求の範囲】
【請求項１】
角度固定自在の扁平形照明装置であって、
一端に取付部を設けられる光源モジュールと、
ヘッド部と、取付台とを含み、前記ヘッド部に第１端と第２端とを有し、前記第１端と前記第２端が互いに前記ヘッド部の遠端部に位置していて、前記第１端にねじ込み接続部を形成され、前記ねじ込み接続部をランプホルダに締め付けられ、前記取付台の一側を前記取付部に接続され、前記取付台の一側を前記取付部に接続され、前記取付台は前記光源モジュールの遠端を選択によって、前記ヘッド部の前記第２端に接続され、前記取接続モジュールは前記ヘッド部と前記取付台との間に接続部を形成され、前記接続具は外部リングとリングシートを含み、前記外部リングを前記リングシートの外部に装着され、前記外部リングに切り欠きを開けていて、前記外部リングは前記切り欠きの両側にそれぞれ第１引き込み端と、第２引き込み端とを形成される接続モジュールと、
前記接続モジュールの前記接続部に設けられ、両端部をそれぞれ前記第１引き込み端と前記第２引き込み端とを接続され、前記第１引き込み端と前記第２引き込み端とを互いに引き寄せることができる引き寄せモジュールと、を備えることを特徴とする、角度固定自在の扁平形照明装置。
【請求項２】
前記第１引き込み端に第１とおり穴を穿設され、前記第２引き込み端に第２とおり穴を穿設され、前記引き寄せモジュールはねじとナットとを含み、前記ねじを同時に前記第１とおり穴と前記第２とおり穴とを穿設していて、前記ナットを前記ねじに締め付けられていることを特徴とする、請求項１記載の角度固定自在の扁平形照明装置。
【請求項３】
前記第１引き込み端に前記第１とおり穴を穿設され、前記第２引き込み端にねじ穴を穿設され、前記引き寄せモジュールは前記ねじを形成され、前記ねじが前記第１とおり穴を貫いて、前記ねじ穴に締め付けられることを特徴とする、請求項１記載の角度固定自在の扁平形照明装置。
【請求項４】
前記第１引き込み端に前記第１とおり穴を穿設され、前記引き寄せ装置は戻り防止結束バンドを形成され、前記戻り防止結束バンドを前記第２引き込み端に接続され、前記戻り防止結束バンドが前記第１とおり穴を貫いた後に縛り付けて、前記戻り防止結束バンドが前記第１とおりを貫いた後に、折り返すことを特徴とする、請求項１記載の角度固定自在の扁平形照明装置。
【請求項５】
前記第１引き込み端にかえしを設けられ、前記第２引き込み端に枢止耳を設けられ、前記引き寄せモジュールは留め金を形成され、前記留め金を前記枢止耳に枢設していて、前記留め金の一端は選択により、前記かえしに嵌着されることを特徴とする、請求項１記載の角度固定自在の扁平形照明装置。
【請求項６】
前記外部リングを前記取付台が前記ヘッド部の付近側に設けられ、前記リングシートを前記ヘッド部が前記取付台の付近端に設けられ、前記取付台に第１リード線を有し、前記ヘッド部の前記第２端に収容空間を凹設され、前記収容空間に第２リード線を設けられ、前記第２リード線は前記ねじ込み接続部の遠端を前記第１リード線に接続されることによって、前記接続モジュールと前記光源モジュールとの電気導通を形成され、前記第１端に第１直径を有し、前記第２端に第２直径を有し、前記第１直径は前記第２直径より小さく設けられることを特徴とする、請求項１乃至５のいずれかに記載の角度固定自在の扁平形照明装置。
【考案の詳細な説明】
【技術分野】
【０００１】
本考案は照明装置に関し、特に引き寄せモジュールを用いて直接に引き寄せることによって、光源モジュールをヘッド部に結合させる角度固定自在の扁平形照明装置に関する。
【背景技術】
【０００２】
公知の大範囲照明のほとんどは水銀灯を使用されている。しかし、一般の水銀灯具は電気消費が大きく、発光効率が低いうえに使用寿命が短いため、使用コストが高く、環境保護の流れにそぐわない。一方、他種の灯具に置き換えようとする場合は、元来は水銀灯具につけていたランプホルダも併せて置き換える必要があるため、水銀灯具とランプホルダを合わせて交換に掛かるコストがさらに高くつく、環境保護にそぐわないほか、組み立て困難に直面される。さらに、従来の水銀灯具を回収した後には廃棄処分しかなく、再利用することはできない。資源そのものが浪費される。
【０００３】
従来の水銀灯具はねじ込み方式により、水銀灯をランプホルダに固定されている。従来の水銀灯ランプホルダにＬＥＤ灯を取り替えるときには、ＬＥＤ灯に方向性があるため取り付け工事においてＬＥＤ灯の照射角度を正しく調節して置かないと、ＬＥＤ灯に備えるべき効果を発揮されない。しかし、ＬＥＤの照射角度を正しく調整するには組立の修正を繰り返さなければならないため、人的資源が浪費される。
【先行技術文献】
【特許文献】
【０００４】
【特許文献１】台湾実用新案第Ｍ４３９７５３号明細書
【考案の概要】
【考案が解決しようとする課題】
【０００５】
台湾実用新案第Ｍ４３９７５３号明細書（特許文献１）角度を任意に固定できる扁平形照明装置において、照射角を調節可能なＬＥＤ灯具であって、照明装置は接続装置と、光源モジュールと、を備える。接続装置は電気コネクタと、第１接続端とを含み、電気コネクタとランプホルダとを接続することによって電気が導通され、第１接続端を電気コネクタに接続して回路を電気導通させ、光源モジュールはＬＥＤ灯を光源として光線を出射させる。光源モジュールは接続装置に接続していて、光源モジュールは第２接続端を含み、第２接続端と接続装置の第１接続端とを接続され、接続装置にヘッド部と取付リングとを有し、ヘッド部は電気コネクタの付近場所に第１制限部を設けられ、取付リングに第１接続部と第２制限部とを設けられ、光源モジュールの受け台に第２接続部を有し、第１接続部と第２接続部とをねじ込み接続方式により接続されることによって、第２制限部を第１制限部にあてがわせて置き、接続装置が光源モジュールとを互いに連結される。
【０００６】
しかし、前述照明装置を組み付けるときには、まず接続装置のヘッド部をランプホルダの内部に組み付けなければならないほか、光源モジュールの受け台をヘッド部に照準した上、ヘッド部に装着してから、取付リングを受け台外部の第２接続部にねじこみ接続することができる。このように、組立方式は複雑である。
【０００７】
さらに、前述照明装置は取付リングを用いて受け台にねじ締めつけることによって、受け台をヘッド部に接続される。使用者は取付リングを回すとき、手で取付リング全週を握持することが好ましいであるが、照明装置がすでにダンプホルダに取り付けていて、使用者は取付リング全週を握持することはできなく、やむを得ず指部で取付リングを掴んで回すことになり、加えられるねじ締めつけ力量も大幅に減少される。
【課題を解決するための手段】
【０００８】
本考案の主な目的は、光源モジュールと、接続モジュールとを含める照明装置であって、光源モジュールの一端に取付部を設けられ、接続モジュールはヘッド部と取付台とを含み、ヘッド部は第１端と第２端とを有し、第１端と第２端はそれぞれヘッド部の遠部端に位置されている。第１端にねじ込み接続部を形成され、ねじ込み接続部をランプホルダにねじ込み接続され、取付台の一側を取付部に接続され、取付台が光源モジュールの遠端部の一側は選択により、ヘッド部の第２端に接続させることができ、接続モジュールはヘッド部と取付台との間に接続部を形成され、接続部は外部リングとリングシートとを含み、外部リングをリングシートの外部に装着され、外部リングに切欠きを開けていて、外部リングは切欠きの両側にそれぞれ第１引き込み端と第２引き込み端とを形成され、引き寄せモジュールを接続モジュールの接続部に設けられ、引き寄せモジュールの両端部をそれぞれ第１引き込み端と第２引き込み端に接続され、引き寄せモジュールによって、第１引き込み端と第２引き込み端とを互いに引き寄せられ、引き寄せモジュールを用いて直接に引き寄せる方法を利用し、照明装置を素早い、かつ便利に組み付けることができるほか、照明装置を組み付けるときに光源モジュールを回す必要はなく、照明装置に取り付けられるランプホルダのタイプを増やせることができ、ランプホルダ形状の不一致がために照明装置を取り付けられない問題を軽減できる、角度固定自在の扁平形照明装置を提供する。
【考案の効果】
【０００９】
以下の説明内容から、本考案は以下の長所をまとめることができる。
【００１０】
本考案の角度固定自在の扁平形照明装置は、光源モジュールと、接続モジュールと、引き寄せモジュールとを含める照明装置であって、光源モジュールの一端に取付部を設けられ、接続モジュールはヘッド部と取付台とを含み、ヘッド部は第１端と第２端とを有し、第１端と第２端はそれぞれヘッド部の遠部端に位置されている。第１端にねじ込み接続部を形成され、ねじ込み接続部をランプホルダにねじ込み接続され、取付台の一側を取付部に接続され、取付台は光源モジュールの遠端部の一側は選択により、ヘッド部の第２端に接続させることができ、接続モジュールはヘッド部と取付台との間に接続部を形成され、接続部は外部リングとリングシートとを含み、外部リングをリングシートの外部に装着され、外部リングに切欠きを開けていて、外部リングは切欠きの両側にそれぞれ第１引き込み端と第２引き込み端とを形成され、引き寄せモジュールを接続モジュールの接続部に設けられ、引き寄せモジュールの両端部をそれぞれ第１引き込み端と第２引き込み端に接続され、引き寄せモジュールによって、第１引き込み端と第２引き込み端とを互いに引き寄せられ、引き寄せモジュールによって直接に引き寄せる方法を利用し、照明装置を素早い、かつ便利組み付けることができるほか、照明装置を組み付けるときに光源モジュールを回す必要はなく、照明装置に取り付けられるランプホルダのタイプを増やせることができ、ランプホルダ形状の不一致がために照明装置を取り付けられない問題を軽減できる。
【図面の簡単な説明】
【００１１】
【図１】本考案に係る角度固定自在の扁平形照明装置第１実施例の立体外観図である。
【図２】本考案に係る角度固定自在の扁平形照明装置第１実施例における接続モジュールの立体分解図である。
【図３】本考案に係る角度固定自在の扁平形照明装置第１実施例における取付台の立体分解図である。
【図４】本考案に係る角度固定自在の扁平形照明装置第１実施例の断面構造図である。
【図５】本考案に係る角度固定自在の扁平形照明装置第２実施例の立体外観図である。
【図６】本考案に係る角度固定自在の扁平形照明装置第２実施例の断面構造図である。
【図７】本考案に係る角度固定自在の扁平形照明装置第３実施例の立体外観図である。
【図８】本考案に係る角度固定自在の扁平形照明装置第３実施例の立体分解図である。
【図９】本考案に係る角度固定自在の扁平形照明装置第３実施例の断面構造図である。
【図１０】本考案に係る角度固定自在の扁平形照明装置第４実施例の立体外観図である。
【図１１】本考案に係る角度固定自在の扁平形照明装置第４実施例における接続モジュールの立体分解図である。
【図１２】本考案に係る角度固定自在の扁平形照明装置第４実施例における取付台の立体分解図である。
【図１３】本考案に係る角度固定自在の扁平形照明装置第４実施例の断面構造図である。
【考案を実施するための形態】
【実施例】
【００１２】
図１ないし４、本考案に係る角度固定自在の扁平形照明装置第１実施例の立体外観図と、立体分解図と、断面構造図とを合わせて参照する。本考案の照明装置１０は光源モジュール２０と、接続モジュール３０と、引き寄せモジュール４０と、を備える。
【００１３】
そのうち、光源モジュール２０の一端に取付部２１を設けられ、取付部２１に第１リード線２２を有する。
【００１４】
連結モジュール３０はヘッド部３１と取付台３２とを含み、ヘッド部３１は第１端３１１と第２端３１２とを設けられ、第１端３１１と第２端３１２はそれぞれヘッド部３１上それぞれの遠端に位置され、第１端３１１は第１直径Ｄ１を有し、第２端３１２は第２直径Ｄ２を有し、第１直径Ｄ１は第２直径Ｄ２より小さい。第１端３１１にてねじ込み接続部３１３を形成され、ねじ込み接続部３１３をランプホルダにねじ込み接続される。取付台３２の一側を取付部２１に連結され、取付台３２が光源モジュール２０の遠端部は選択によりヘッド部３１の第２端３１２に連結される。
【００１５】
接続モジュール３０はヘッド部３１と取付台３２との間に接続部３３を形成しており、接続部３３は外部リング３４とリングシート３５とを含み、外部リング３４を取付台３２にてヘッド部３１寄りの一側に設けられ、リングシート３５をヘッド部３１が取付台３２よりの一側に設けられ、外部リング３４をリングシート３５の外部に装着され、外部リング３４に切欠き３４１を開けていて、外部リング３４は切欠き３４１の両側にそれぞれ第１引き込み端３４２と第２引き込み端３４３とを形成され、第１引き込み端３４２に第１とおり穴３４４を穿設され、第２引き込み端３４３に第２とおり穴３４５を穿設されている。ヘッド部３１の第２端３１２に収容空間３６を凹設され、収容空間３６の内部に第２リード線３６１を設けられ、第２リード線３６１の一端をねじ込み接続部３１３に接続され、第２リード線３６１がねじ込み接続部３１３の遠端部を第１リード線２２に接続させることによって、接続モジュール３０と光源モジュール２０と電気導通を形成される。
【００１６】
引き寄せモジュール４０は接続モジュール３０の接続部３３に設けられ、引き寄せモジュール４０の両端をそれぞれ第１引き込み端３４２と第２引き込み端３４３とを接続され、引き寄せモジュール４０はねじ４１とナット４２とを含み、ねじ４１が同時に第１引き込み端３４２と第２引き込み端３４３とを穿設していて、ナット４２をねじ４１に締めつけされ、ねじ４１締めつけられると、引き寄せモジュール４０が第１引き込み端３４２と第２引き込み端３４３とが互いに引き寄せられる。
【００１７】
照明装置１０を組み付けるときは、まず接続モジュール３０をランプホルダに取り付けておき、第１リード線２２と第２リード線３６１とを電気接続させた上、固定部３２をヘッド部３１に照準して外部リング３４をリングシート３５の外部に装着させ、引き寄せモジュール４０を利用し、第１引き込み端３４２と第２引き込み端３４３とを互いに引き寄せて、外部リング３４をリングシート３５へ緊密に装着させることによって、光源モジュール２０をランプホルダに取り付けられ、第１リード線２２と第２リード線３６１とを収容空間３６に収容させる。
【００１８】
照明装置１０は引き寄せモジュール４０を利用して外部リング３４を引き寄せることによって、光源モジュール２０と接続モジュール３０とを互いに接続させて、照明装置１０を素早い、かつ便利に組み付けられる。使用者が引き寄せモジュール４０をランプホルダ開口部の一側に位置させることによって、使用者による引き寄せ作業が便利に行える。さらに、照明装置１０を組み付けるときに光源モジュール２０を回す必要はなく、照明装置１０に取り付けられるランプホルダのタイプを増やせることができ、ランプホルダの形状の不一致がために照明装置１０を取り付けられない問題を避けられる。
【００１９】
引き続き、図５と図６、本考案に係る角度固定自在の扁平形照明装置第２実施例の立体外観図と、断面構造図とを合わせて参照する。本考案の第２実施例は第１実施例とほぼ同じであり、異なる点は第２実施例において、第２引き込み端３４３ａにねじ穴３４６ａを穿設していて、かつ引き寄せモジュール４０ａはねじ４１ａを形成され、ねじ４１ａを第１とおり穴３４４ａに通した後、ねじ穴３４６ａに締めつけされ、ねじ４１ａを締めつけられると、引き寄せモジュール４０ａによって、第１引き込み端３４２ａと第２引き込み端３４３ａとを互いに引き寄せられる。
【００２０】
照明装置１０ａはねじ４１ａのみで外部リング環３４ａを利用すれば、照明装置１０ａを有効に簡素化させ、照明装置１０ａのコストをさらに軽減できると共に、照明装置１０ａの利便性を増やせることができ、照明装置１０ａを素早く組立ができる。
【００２１】
引き続き、図７ないし９、本考案に係る角度固定自在の扁平形照明装置第３実施例の立体外観図と、立体分解図と、断面構造図とを合わせて参照する。本考案の第３実施例は第１実施例とほぼ同じであり、異なる点は第３実施例において、引き寄せ装置４０ｂは戻り防止結束バンド４３ｂを形成され、戻り防止結束バンド４３ｂを第２引き込み端３４３ｂに接続していて、戻り防止結束バンド４３ｂを第１とおり穴３４４ｂに通した後に緊縛することによって、第１引き込み端３４２ｂと第２引き込み端３４３ｂとを互いに引き寄せて、外部リング３４ｂを締めつけさせて置き、戻り防止結束バンド４３ｂを折り返した後に、戻り防止結束バンド４３ｂの緩みを防げる。
【００２２】
照明装置１０ｂが直接に戻り防止結束バンド４３ｂを用いて外部リング３４ｂを縛り付けて、照明装置１０ｂ組み立ての利便性を有効に向上され、照明装置１０ｂは工具の使用必要はなく、光源モジュール２０ｂと、接続モジュール３０ｂとを接続させることができる。
【００２３】
引き続き、図１０ないし１３、本考案に係る角度固定自在の扁平形照明装置第４実施例の立体外観図と、立体分解図と、断面構造図とを合わせて参照する。本考案の第４実施例は第１実施例とほぼ同じであり、異なる点は第４実施例において、第１引き込み端３４２ｃにかえし３４７ｃを設けられ、第２引き込み端３４３ｃに枢止耳３４８ｃを設けられ、引き寄せモジュール４０ｃは留め金４４ｃを形成され、留め金４４ｃを枢止耳３４８ｃに枢設していて、留め金４４ｃの一端は選択によりかえし３４７ｃに嵌着され、留め金４４ｃを締め付けると、第１引き込み端３４２ｃと第２引き込み端３４３ｃとを引き寄せられ、外部リング３４ｃを引き寄せられる。
【００２４】
留め金４４ｃを素早くかつ有効に第１引き込み端３４２ｃと第２引き込み端３４３ｃとを引き寄せられるため、照明装置１０ｃの組み付け作業を素早く完成される。留め金４４ｃは使用者が新たに工具の補助必要はなく、素手で作業できるため、作業の難しさを軽減できる。
【符号の説明】
【００２５】
１０      照明装置
２０      光源モジュール
２１      取付部
２２      第１リード線
３０      接続モジュール
３１      ヘッド部
３１１    第１端
３１２    第２端
３１３    ねじ込み接続部
３２      取付台
３３      接続部
３４      外部リング
３４１    切欠き
３４２    第１引き込み端
３４３    第２引き込み端
３４４    第１とおり穴
３４５    第２とおり穴
３５      リングシート
３６      収容空間
３６１    第２リード線
４０      引き寄せモジュール
４１      ねじ
４２      ナット
１０ａ    照明装置
３４ａ    外部リング
３４２ａ  第１引き込み端
３４３ａ  第２引き込み端
３４４ａ  第１とおり穴
３４６ａ  ねじ穴
４０ａ    引き寄せモジュール
４１ａ    ねじ
１０ｂ    照明装置
２０ｂ    光源モジュール
３０ｂ    接続モジュール
３４ｂ    外部リング
３４２ｂ  第１引き込み端
３４３ｂ  第２引き込み端
３４４ｂ  第１とおり穴
４０ｂ    引き寄せ装置
４３ｂ    戻り防止結束バンド
１０ｃ    照明装置
３４ｃ    外部リング
３４２ｃ  第１引き込み端
３４３ｃ  第２引き込み端
３４７ｃ  かえし
３４８ｃ  枢支耳
４０ｃ    引き寄せモジュール
４４ｃ    留め金
Ｄ１      第１直径
Ｄ２      第２直径
【図１】
0003188098.tif 000003
【図２】
0003188098.tif 000004
【図３】
0003188098.tif 000005
【図４】
0003188098.tif 000006
【図５】
0003188098.tif 000007
【図６】
0003188098.tif 000008
【図７】
0003188098.tif 000009
【図８】
0003188098.tif 000010
【図９】
0003188098.tif 000011
【図１０】
0003188098.tif 000012
【図１１】
0003188098.tif 000013
【図１２】
0003188098.tif 000014
【図１３】
0003188098.tif 000015
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
角度固定自在の扁平形照明装置であって、
一端に取付部を設けられる光源モジュールと、
ヘッド部と、取付台とを含む接続モジュールであって、前記ヘッド部に第１端と第２端とを有し、前記第１端と前記第２端が互いに前記ヘッド部の遠端部に位置していて、前記第１端にねじ込み接続部を形成され、前記ねじ込み接続部をランプホルダに締め付けられ、前記取付台の一側を前記取付部に接続され、前記取付台の一側を前記取付部に接続され、前記取付台は前記光源モジュールの遠端を選択によって、前記ヘッド部の前記第２端に接続され、前記接続モジュールは前記ヘッド部と前記取付台との間に接続部を形成され、前記接続部は外部リングとリングシートを含み、前記外部リングを前記リングシートの外部に装着され、前記外部リングに切り欠きを開けていて、前記外部リングは前記切り欠きの両側にそれぞれ第１引き込み端と、第２引き込み端とを形成される接続モジュールと、
前記接続モジュールの前記接続部に設けられ、両端部をそれぞれ前記第１引き込み端と前記第２引き込み端とを接続され、前記第１引き込み端と前記第２引き込み端とを互いに引き寄せることができる引き寄せモジュールと、を備えることを特徴とする、角度固定自在の扁平形照明装置。
【請求項２】
前記第１引き込み端に第１とおり穴を穿設され、前記第２引き込み端に第２とおり穴を穿設され、前記引き寄せモジュールはねじとナットとを含み、前記ねじを同時に前記第１とおり穴と前記第２とおり穴とを穿設していて、前記ナットを前記ねじに締め付けられていることを特徴とする、請求項１記載の角度固定自在の扁平形照明装置。
【請求項３】
前記第１引き込み端に前記第１とおり穴を穿設され、前記第２引き込み端にねじ穴を穿設され、前記引き寄せモジュールは前記ねじを形成され、前記ねじが前記第１とおり穴を貫いて、前記ねじ穴に締め付けられることを特徴とする、請求項１記載の角度固定自在の扁平形照明装置。
【請求項４】
前記第１引き込み端に前記第１とおり穴を穿設され、前記引き寄せ装置は戻り防止結束バンドを形成され、前記戻り防止結束バンドを前記第２引き込み端に接続され、前記戻り防止結束バンドが前記第１とおり穴を貫いた後に縛り付けて、前記戻り防止結束バンドが前記第１とおりを貫いた後に、折り返すことを特徴とする、請求項１記載の角度固定自在の扁平形照明装置。
【請求項５】
前記第１引き込み端にかえしを設けられ、前記第２引き込み端に枢止耳を設けられ、前記引き寄せモジュールは留め金を形成され、前記留め金を前記枢止耳に枢設していて、前記留め金の一端は選択により、前記かえしに嵌着されることを特徴とする、請求項１記載の角度固定自在の扁平形照明装置。
【請求項６】
前記外部リングを前記取付台が前記ヘッド部の付近側に設けられ、前記リングシートを前記ヘッド部が前記取付台の付近端に設けられ、前記取付台に第１リード線を有し、前記ヘッド部の前記第２端に収容空間を凹設され、前記収容空間に第２リード線を設けられ、前記第２リード線は前記ねじ込み接続部の遠端を前記第１リード線に接続されることによって、前記接続モジュールと前記光源モジュールとの電気導通を形成され、前記第１端に第１直径を有し、前記第２端に第２直径を有し、前記第１直径は前記第２直径より小さく設けられることを特徴とする、請求項１乃至５のいずれかに記載の角度固定自在の扁平形照明装置。